(57)【要約】  【課題】分離カラムが目詰まりを起こした場合であっても、分離カラムの破損を防止することができる技術を提供する。  【解決手段】  このクロマトグラフィーシステム１は、移動相１０を収容する移動相容器２０と、駆動ポンプ１００と、供給経路２００と、分離カラム３００と、検出器４００と、から構成されている。この駆動ポンプ１００は、移動相１０を保持するポンプ室１１０と、入口１１２と、出口１１４と、ポンプ室１１０を取り囲む壁の一部として配置される可動壁１２０と、入口１１２および出口１１４に配置される逆止弁１３０と、を備えており、何らかの原因により分離カラム３００または供給経路２００が詰まった場合、分離カラム３００および供給経路２００の圧力が、ポンプ室１１０の最も上昇したときの圧力と等しくなると、移動相１０の供給が停止される。【選択図】図１
2008175650.tif 000002
【特許請求の範囲】
【請求項１】
分離カラムと、該分離カラムに移動相を供給する経路である供給経路と、該供給経路内の移動相を、前記分離カラムに向けて駆動する駆動手段と、を備えるクロマトグラフィー装置であって、
前記駆動手段は、
前記移動相を保持するポンプ室と、
該ポンプ室に前記移動相を供給する入口と、
該ポンプ室から前記移動相を排出する出口と、
前記ポンプ室を取り囲む壁の一部として配置され、一定の範囲内で変動する力を受けて前記ポンプ室の容積を増加または減少させるように変形する板状の可動壁と、
前記可動壁が前記ポンプ室の容積を増加させるように変形したときは、前記入口を開放状態とすると共に、前記出口を閉鎖状態とする一方、前記可動壁が前記ポンプ室の容積を減少させるように変形したときは、前記入口を閉鎖状態とすると共に、前記出口を開放状態とする開閉手段と、を備える
ことを特徴とするクロマトグラフィー装置。
【請求項２】
前記可動壁は、１以上の圧電セラミック素子を板状部材に貼り付けてなるものであって、該圧電セラミック素子に印加される電圧に応じて前記ポンプ室の容積を増加または減少させるように変形する
ことを特徴とする請求項１に記載のクロマトグラフィー装置。
【請求項３】
請求項１または請求項２のいずれかに記載のクロマトグラフィー装置と、
前記クロマトグラフィー装置における分離カラムの下流に配置され、前記分離カラムを通過した移動相中の分離対象物を検出する検出器と、を備える
ことを特徴とするクロマトグラフィーシステム。
【請求項４】
分離カラムと、該分離カラムに移動相を供給する経路である供給経路と、該供給経路内の移動相を、前記分離カラムに向けて駆動する駆動手段と、を備えるクロマトグラフィー装置を用いて分離対象物を分離する分離方法であって、
前記駆動手段は、
前記移動相を保持するポンプ室と、
該ポンプ室に前記移動相を供給する入口と、
該ポンプ室から前記移動相を排出する出口と、
前記ポンプ室を取り囲む壁の一部として配置され、一定の範囲内で変動する力を受けて前記ポンプ室の容積を増加または減少させるように変形する板状の可動壁と、
前記可動壁が前記ポンプ室の容積を増加させるように変形したときは、前記入口を開放状態とすると共に、前記出口を閉鎖状態とする一方、前記可動壁が前記ポンプ室の容積を減少させるように変形したときは、前記入口を閉鎖状態とすると共に、前記出口を開放状態とする開閉手段と、を備える
ことを特徴とする分離方法。
【発明の詳細な説明】
【技術分野】
【０００１】
本発明は、分離カラムと、該分離カラムに移動相を供給する経路である供給経路と、該供給経路内の移動相を、前記分離カラムに向けて駆動する駆動手段と、を備えるクロマトグラフィー装置，そのクロマトグラフィー装置を用いたクロマトグラフィーシステムおよび分離方法に関する。
【背景技術】
【０００２】
近年、高感度で選択性の高い分離操作を実現するために、高速液体クロマトグラフィー等の液体クロマトグラフィーが利用されている。
液体クロマトグラフィーでは、シリカゲルなどが固定相として充填された分離カラムに対し、複数の成分からなる分離対象物が注入された有機溶媒などの移動相を供給する。分離対象物の各成分は、固定相との相互作用の強さ，および，移動相との親和性などがそれぞれ異なり、分離カラムを通過する際、固定相との相互作用が強く、移動相との親和性が弱い成分ほど分離カラムに長く留まり、時間を掛けて通過する。このように各成分の分離カラムを通過する時間が異なることを利用して、分離対象物の各成分を分離する。
【０００３】
このような液体クロマトグラフィー装置では、分離カラムに移動相（液体）を供給する必要がある。そこで、通常、駆動ポンプを分離カラムの上流に配置して、移動相を分離カラムに供給している。このときに使用されるポンプとしては、例えば、プランジャー往復型の駆動ポンプなどが提案されている（特許文献１参照）。
【特許文献１】特開平９−２９２３８１号公報
【発明の開示】
【発明が解決しようとする課題】
【０００４】
上述した構成の駆動ポンプでは、常に一定流量の移動相が分離カラムに向けて供給される。そのため、不溶化物結晶の生成，分離カラムに充填された固定相の目詰まり，不純物の混入などの原因により分離カラムが目詰まりを起こすと、駆動ポンプから移動相が供給されることによって供給経路および分離カラムなどが非常に高圧になり、それらが破裂などして破損してしまうという虞がある。
【０００５】
本発明は、このような問題を解決するためになされたものであり、その目的は、分離カラムが目詰まりを起こした場合であっても、分離カラムと供給経路の破損を防止することができるクロマトグラフィー装置、クロマトグラフィーシステムおよび分離方法を提供することである。
【課題を解決するための手段】
【０００６】
上述した問題を解決するためになされた請求項１に記載のクロマトグラフィー装置は、  分離カラムと、該分離カラムに移動相を供給する経路である供給経路と、該供給経路内の移動相を、前記分離カラムに向けて駆動する駆動手段と、を備えるクロマトグラフィー装置であって、前記駆動手段が、前記移動相を保持するポンプ室と、該ポンプ室に前記移動相を供給する入口と、該ポンプ室から前記移動相を排出する出口と、前記ポンプ室を取り囲む壁の一部として配置され、一定の範囲内で変動する力を受けて前記ポンプ室の容積を増加または減少させるように変形する板状の可動壁と、前記可動壁が前記ポンプ室の容積を増加させるように変形したときは、前記入口を開放状態とすると共に、前記出口を閉鎖状態とする一方、前記可動壁が前記ポンプ室の容積を減少させるように変形したときは、前記入口を閉鎖状態とすると共に、前記出口を開放状態とする開閉手段と、を備えている。
【０００７】
このクロマトグラフィー装置における駆動手段１００では、図２（ａ）に示すように、そのポンプ室１１０の可動壁１２０がポンプ室１１０の容積を増加させるように変形すると共に、開閉手段１３０が入口１１２を開放状態とし、出口１１４を閉鎖状態とする。それにより、そのポンプ室１１０の圧力が、ポンプ室１１０より上流の移動相の供給元の圧力よりも低下する。
【０００８】
このとき、そのポンプ室１１０の圧力と、ポンプ室１１０より上流の移動相の供給元の圧力と、の圧力差を駆動力として、移動相が入口１１２からポンプ室１１０に供給される。
【０００９】
一方、図２（ｂ）に示すように、そのポンプ室１１０の可動壁１２０がポンプ室１１０の容積を減少させるように変形すると共に、開閉手段１３０が入口１１２を閉鎖状態とし、出口１１４を開放状態とする。それにより、そのポンプ室１１０の圧力が、ポンプ室１１０より下流の供給経路および分離カラムの圧力よりも上昇する。
【００１０】
このとき、ポンプ室１１０の圧力と、ポンプ室１１０より下流の供給経路および分離カラムの圧力と、の圧力差を駆動力として、ポンプ室１１０に保持されていた移動相が出口１１４から排出される。
【００１１】
このように、開閉手段１３０により入口１１２および出口１１４を開閉させると共に、ポンプ室１１０の容積が増加と減少とを繰り返すように連続的に可動壁１２０を変形させることで、移動相を駆動して分離カラムに供給することができる。
【００１２】
ところで、上述したクロマトグラフィー装置では、分離カラムが何らかの理由で詰まっても、分離カラムおよび供給経路の圧力が異常に上昇してそれらが破損してしまうことを防止できる。その理由は、以下のようなものである。
【００１３】
上述したクロマトグラフィー装置における駆動手段は、移動相を、可動壁の変形により上昇したポンプ室の圧力と、供給経路および分離カラムの圧力と、の圧力差により駆動する。
【００１４】
このクロマトグラフィー装置においては、何らかの原因により分離カラムまたは供給経路が詰まった場合、移動相が分離カラムに向けて供給されるにつれ、供給経路および分離カラムの圧力が上昇する。そして、供給経路および分離カラムの圧力が、ポンプ室の最も上昇したときの圧力（以降、最大圧力という）と等しくなると、移動相の分離カラムへの供給が停止される。
【００１５】
このことから、上述したクロマトグラフィー装置では、供給経路および分離カラムの圧力が最大圧力より大きくならない。
また、上述したクロマトグラフィー装置では、可動壁は一定の範囲内の力を受けて変形する。そのため、上述した最大圧力は、可動壁が受ける力の最大値から一義的に定まる。
【００１６】
よって、分離カラムまたは供給経路が詰まった場合でも、それらの圧力が、上述した可動壁が受ける力の最大値から定まる最大圧力以上に上昇することはないので、分離カラムおよび供給経路の圧力が異常に上昇してそれらが破損してしまうことを防止できる。
【００１７】
なお、ここでいう開閉手段は、可動壁の変形に応じて入口および出口を開閉可能であれば、その具体的な構成は特に限定されない。例えば、流体の逆流を阻止する逆止弁であってもよく、また、アクチュエータと、入口または出口を閉鎖可能な扉部材と、を備えており、そのアクチュエータにより扉部材の開閉動作をするものであってもよい。
【００１８】
また、上述した可動壁は、ポンプ室の容積を増減させるように変形できるものであれば、その具体的な構成は特に限定されない。例えば、弾性力を有する板状の部材であってもよく、また、ダイヤフラムであってもよい。
【００１９】
また、上述した駆動手段における可動壁を変形させるための構成は、一定の範囲内で変動する力を受けて変形できるものであれば、その具体的な構成は特に限定されない。例えば、可動壁としてのダイヤフラムをエアーで駆動させる構成とすることが考えられる。
【００２０】
また、上述したもののほか、可動壁自体が自ら変形するものを用いる構成であってもよい。その場合は、例えば、請求項１に記載のクロマトグラフィー装置を請求項２に記載のように構成するとよい。
【００２１】
この構成において、前記可動壁は、１以上の圧電セラミック素子を板状部材に貼り付けてなるものであって、該圧電セラミック素子に印加される電圧に応じて前記ポンプ室の容積を増加または減少させるように変形する。
【００２２】
ここでいう圧電セラミック素子は、印加される電圧に応じた力で伸縮する性質を有するものである。そして、それを板状部材に貼り付けた状態で電圧を印加すると、圧電セラミック素子が縮む（または伸びる）ことにより、板状部材の一方の側面のみ縮む（または伸びる）結果、板状部材は、くの字型に反るように変形する。
【００２３】
そのため、上述したように構成されたクロマトグラフィー装置では、駆動手段の圧電セラミック素子に電圧を印加することにより、印加される電圧に応じた力で可動壁を変形させることができる。これにより、駆動手段にプランジャー等を動作させるためのモータ等を取り付ける必要が無くなり、駆動手段からそれらを配置すべきスペースを省くことができることから、クロマトグラフィー装置として軽量化および小型化を実現することができる。
【００２４】
また、請求項３に記載のクロマトグラフィーシステムは、請求項１または請求項２のいずれかに記載のクロマトグラフィー装置と、前記クロマトグラフィー装置における分離カラムの下流に配置され、前記分離カラムを通過した移動相中の分離対象物を検出する検出器と、を備えている。
【００２５】
このように構成されたクロマトグラフィーシステムでは、請求項１または請求項２のいずれかに記載のクロマトグラフィー装置の分離カラムを通過した移動相に含まれる分離対象物における成分を検出することができる。
【００２６】
なお、上述したクロマトグラフィーシステムを使用する際には、移動相に分離対象物を注入することができる。そのためには、例えば、分離カラムの直上流にサンプルインジェクターを配置する構成とし、そのサンプルインジェクターを介して分離カラムの直上流において分離対象物を注入するとよい。
【００２７】
また、請求項４に記載の分離方法は、分離カラムと、該分離カラムに移動相を供給する経路である供給経路と、該供給経路内の移動相を、前記分離カラムに向けて駆動する駆動手段と、を備えるクロマトグラフィー装置を用いて分離対象物を分離する分離方法であって、前記駆動手段が、前記移動相を保持するポンプ室と、該ポンプ室に前記移動相を供給する入口と、該ポンプ室から前記移動相を排出する出口と、前記ポンプ室を取り囲む壁の一部として配置され、一定の範囲内で変動する力を受けて前記ポンプ室の容積を増加または減少させるように変形する板状の可動壁と、前記可動壁が前記ポンプ室の容積を増加させるように変形したときは、前記入口を開放状態とすると共に、前記出口を閉鎖状態とする一方、前記可動壁が前記ポンプ室の容積を減少させるように変形したときは、前記入口を閉鎖状態とすると共に、前記出口を開放状態とする開閉手段と、を備えていることを特徴としている。
【００２８】
このような分離方法を用いて分離を行えば、請求項１または請求項２のいずれかに記載のクロマトグラフィー装置と同様の作用，効果を得ることができる。
【発明を実施するための最良の形態】
【００２９】
以下、本発明の実施形態を図面と共に説明する。
（１）全体構成
クロマトグラフィーシステム１は、複数の成分からなる分離対象物を有機溶媒などの移動相に注入して分離カラムを通過させ、分離カラムの下流においてその移動相に含まれる分離対象物の成分を検出し、その成分ごとの分離カラムの通過に必要な時間を測定するシステムである。
【００３０】
このクロマトグラフィーシステム１は、図１に示すように、移動相１０（酢酸エチルおよびｎ−ヘキサンを、質量比１：９にて混合）を収容する移動相容器２０と、移動相容器２０に収容される移動相１０を下流に駆動する駆動ポンプ１００（メドー産業株式会社製  バイモルポンプＢＰＨ−４７４Ｐ）と、移動相１０を移動相容器２０から後述する分離カラム３００に供給する経路となる供給経路２００（駆動ポンプ１００の上流に配置される供給経路２００Ａ，および，駆動ポンプ１００の下流に配置される供給経路２００Ｂ）と、供給経路２００の下流に配置される分離カラム３００（株式会社モリテックス製  プリフパックＳＩ−６０  ＳＩＺＥ６０）と、分離カラム３００の下流に配置される検出器４００（日本分光株式会社製 HYPERLINK "http://www.jasco.co.jp/Japanese/products/UV/V600/v600#top.html"   紫外可視分光光度計８７５ＵＶ）と、検出器４００の下流に配置されるフラクションコレクタ４２０と、から構成されている。
【００３１】
これらのうち、駆動ポンプ１００は、図２（ａ）に示すように、移動相１０を保持するポンプ室１１０と、移動相容器２０からポンプ室１１０に移動相１０を供給する入口１１２と、ポンプ室１１０から供給経路２００に移動相１０を排出する出口１１４と、ポンプ室１１０を取り囲む壁の一部として配置される可動壁１２０と、入口１１２および出口１１４に配置される逆止弁１３０と、を備えている。
【００３２】
上述した可動壁１２０は、図３（ａ）に示すように、２枚の板状の圧電セラミック素子１２２（１２２Ａおよび１２２Ｂ）を、弾性力を有する板状部材１２４の両側面にそれぞれ貼り付けてなるものである。
【００３３】
上述した圧電セラミック素子１２２は、印加される電圧に応じた力で伸縮する性質を有する。そして、上記実施形態においては、板状部材１２４の両側面において、電圧を印加された状態における圧電セラミック素子１２２それぞれの伸縮が逆になるように構成されている。
【００３４】
そのため、圧電セラミック素子１２２Ａが縮むと共に、圧電セラミック素子１２２Ｂが伸びるように電圧を印加すると、可動壁１２０は、圧電セラミック素子１２２Ａを内側にして板状部材１２４が反るように変形する（図３（ｂ）参照）。また、圧電セラミック素子１２２Ａが伸びると共に、圧電セラミック素子１２２Ｂが縮むように電圧を印加すると、可動壁１２０は、圧電セラミック素子１２２Ａを外側にして板状部材１２４が反るように変形する（図３（ｃ）参照）。
【００３５】
このように、可動壁１２０は、圧電セラミック素子１２２に印加される電圧に応じて変形し、ポンプ室１１０の容積を増加または減少させる（図２（ａ）および図２（ｂ）参照）。
【００３６】
また、逆止弁１３０は、可動壁１２０がポンプ室１１０の容積を増加させるように変形した際、入口１１２を開放状態とすると共に、出口１１４を閉鎖状態とする（図２（ａ）参照）一方、可動壁１２０が前記ポンプ室の容積を減少させるように変形した際、入口１１２を閉鎖状態とすると共に、出口１１４を開放状態とする。
【００３７】
また、供給経路２００Ｂには、サンプルインジェクター２１０が配置されており、このサンプルインジェクター２１０を用いて分離対象物などが移動相１０に注入される。
また、分離カラム３００は、固定相３１０（球状シリカゲル；細孔径６ｎｍ、粒子径６０μｍ）が充填されている。そして、この分離カラム３００の下端部には、分離カラム３００を通過する移動相１０の流量を調節するための流量調節バルブ３２０が備えられている。
【００３８】
また、上記検出器４００は、分離カラム３００を通過した移動相１０中の分離対象物の各成分を検出する。この検出器４００による各成分の検出データは、解析用コンピュータ４１０に送信される。この解析用コンピュータ４１０は、上述した検出データに基づいて分離対象物のクロマトグラムを作成し、ピークの理論段数を求める。
【００３９】
そして、検出器４００により分離対象物を検出された移動相１０が、フラクションコレクタ４２０に送られる。
（２）動作
このように構成されたクロマトグラフィーシステム１において、駆動ポンプ１００では、図２（ａ）に示すように、そのポンプ室１１０の可動壁１２０がポンプ室１１０の容積を増加させるように変形すると共に、逆止弁１３０が入口１１２を開放状態とし、出口１１４を閉鎖状態とする。それにより、そのポンプ室１１０の圧力が、移動相容器２０の圧力よりも低下する。
【００４０】
このとき、ポンプ室１１０の圧力と移動相容器２０の圧力との圧力差を駆動力として、移動相１０が入口１１２からポンプ室１１０に供給される。
一方、図２（ｂ）に示すように、そのポンプ室１１０の可動壁１２０がポンプ室１１０の容積を減少させるように変形すると共に、逆止弁１３０が入口１１２を閉鎖状態とし、出口１１４を開放状態とする。それにより、そのポンプ室１１０の圧力が、供給経路２００Ｂおよび分離カラム３００の圧力よりも上昇する。
【００４１】
このとき、ポンプ室１１０の圧力と供給経路２００Ｂおよび分離カラム３００の圧力との圧力差を駆動力として、ポンプ室１１０に保持されていた移動相１０が出口１１４から排出される。
【００４２】
このように、ポンプ室１１０の容積が増加と減少とを繰り返すように連続的に可動壁１２０を変形させることで、移動相１０を駆動して分離カラム３００に供給することができる。なお、上述した可動壁１２０の連続的な変形は、圧電セラミック素子１２２に印加する電圧を連続的に変動させることで実現できる。その際、可動壁１２０が受ける力は、印加する電圧に対応しているため、可動壁１２０はその電圧が変動する範囲に対応した一定の範囲内の変動する力を受けて変形する。
【００４３】
また、本実施形態のクロマトグラフィーシステム１の検出器４００は、分離カラム３００を通過した移動相１０に含まれる分離対象物の成分を検出することができる。それにより、その分離カラム３００の分離性能を測定することができる。
（３）効果
このように構成されたクロマトグラフィーシステム１によれば、分離カラム３００が何らかの理由で詰まっても、供給経路２００Ｂおよび分離カラム３００の圧力が上昇してそれらが破損してしまうことを防止できる。その理由は、以下のようなものである。
【００４４】
上述したクロマトグラフィーシステム１における駆動ポンプ１００は、移動相１０を、可動壁１２０の変形により上昇したポンプ室１１０の圧力と、供給経路２００Ｂおよび分離カラム３００の圧力と、の圧力差により駆動する。
【００４５】
このクロマトグラフィーシステム１においては、何らかの原因により供給経路２００Ｂまたは分離カラム３００が詰まった場合、移動相１０が分離カラム３００に向けて供給されるにつれ、供給経路２００Ｂおよび分離カラム３００の圧力が上昇する。そして、供給経路２００Ｂおよび分離カラム３００の圧力が、ポンプ室１１０の最も上昇したときの圧力（以降、最大圧力という）と等しくなると、移動相１０の分離カラム３００への供給が停止される。
【００４６】
このことから、上述したクロマトグラフィーシステム１では、供給経路２００Ｂおよび分離カラム３００の圧力が最大圧力より大きくならない。
また、上述したクロマトグラフィーシステム１では、可動壁１２０は一定の範囲内の力を受けて変形する。そのため、上述した最大圧力は、可動壁１２０が受ける力の最大値から一義的に定まる。
【００４７】
よって、供給経路２００Ｂまたは分離カラム３００が詰まった場合でも、それらの圧力が、上述した可動壁１２０が受ける力の最大値から定まる圧力以上に上昇することは無いので、供給経路２００Ｂおよび分離カラム３００の圧力が異常に上昇してそれらが破損してしまうことを防止できる。
【００４８】
また、本実施形態のクロマトグラフィーシステム１は、駆動ポンプ１００の圧電セラミック素子１２２に電圧を印加することにより、可動壁１２０を変形させることができる。これにより、駆動ポンプ１００にプランジャー等を動作させるためのモータ等を取り付ける必要が無くなり、駆動ポンプ１００からそれらを配置すべきスペースを省くことができることから、クロマトグラフィーシステム１として軽量化および小型化を実現することができる。
（４）分離性能評価試験
上述したクロマトグラフィーシステム１の効果を確かめるための試験を説明する。本試験では、分離カラム３００を通過した移動相１０に含まれる分離対象物の各成分の濃度を測定することで、分離性能の評価を行った。
（４−１）試験方法
移動相１０を流量３０ｍｌ／ｍｉｎにて分離カラム３００に供給し、分離対象物（ベンゼン，フタル酸ジブチル，フタル酸ジメチル各１ｍｌを溶質とするｎ−ヘキサン１００ｍｌ溶液）３ｍｌを注入してその保持時間を測定した。
【００４９】
以上の条件において分離性能評価試験を行った結果を以下に示す。
検出器４００にて検出された結果は、図４のようになった。ここで、縦軸は吸光度、横軸は経過時間を示す。また、ピークの各数値は、下記の表１に示される分離対象物の数値に対応している。この結果から求められた分離対象物の各成分の保持時間および理論段数を以下に示す。
【００５０】
【表１】
2008175650.tif 000003
【００５１】
ここで、理論段数の計算は、理論段数をＮ、保持時間をＴｒ、ピークの半分高さの幅をＷ0.5とした場合に、Ｎ＝５．５４×（Ｔｒ／Ｗ0.5）2  で表される式を用いて計算した。
【００５２】
以上の結果から、このクロマトグラフィーシステム１は、良好な理論段数にて各分離対象物を分離することができるといえる。
（５）圧力上昇試験
次に、上述した試験で用いたクロマトグラフィーシステム１の分離カラム３００を意図的に詰まらせ、分離カラム３００の圧力上昇を測定した。
（５−１）試験方法
移動相１０を流量３０ｍｌ／ｍｉｎにて分離カラム３００に供給し、試薬（粒子径５μｍのシリカゲルを含む移動相１０と同組成のスラリー）３ｍｌを注入して分離カラム３００の圧力変化を測定した。
（５−２）比較試験
上述したクロマトグラフィーシステム１において、駆動ポンプ１００を、ＣＦ−６２００（サヌキ工業株式会社製、ダブルプランジャ方式）と交換し、上記と同様の試験を行った。
【００５３】
以上の条件において圧力上昇試験を行った結果を以下に示す。
【００５４】
【表２】
2008175650.tif 000004
【００５５】
【表３】
2008175650.tif 000005
【００５６】
このように、本実施形態の駆動ポンプ１００を備えるクロマトグラフィーシステム１であれば、分離カラム３００が詰まった場合であっても、圧力上昇が発生しない（表２参照）ため、分離カラム３００などが破損してしまうことを防止できる。しかし、従来のポンプでは、分離カラム３００が詰まった場合、異常な圧力上昇が発生し、分離カラム３００などが破損してしまう危険が上昇する（表３参照）。
（６）変形例
以上、本発明の実施の形態について説明したが、本発明は、上記実施形態に何ら限定されることはなく、本発明の技術的範囲に属する限り種々の形態をとり得ることは言うまでもない。
【００５７】
例えば、上記実施形態では、ポンプ室１１０の入口１１２および出口１１４を開閉する手段として、逆止弁１３０が配置される構成を例示した。しかし、可動壁１２０の動作に応じて入口１１２および出口１１４を開閉可能であれば、その具体的な構成は特に限定されない。例えば、アクチュエータと、入口１１２または出口１１４を閉鎖可能な扉部材と、を備えており、そのアクチュエータにより扉部材の開閉動作をする開閉手段が備えられている構成であってもよい。
【００５８】
また、上記実施形態において、駆動ポンプ１００は、その可動壁１２０が、圧電セラミック素子１２２と、弾性力を有する板状部材１２４と、からなるものを例示したが、可動壁１２０に替えて、ダイヤフラムを用いる構成としてもよい。その場合は、ダイヤフラムをエアーで駆動させる構成とするとよい。その場合であっても、上記実施形態と略同様の効果を得ることができる。
【００５９】
また、上記実施形態においては、移動相１０として、酢酸エチルおよびｎ−ヘキサンを、質量比１：９にて混合した構成のものを例示したが、クロマトグラフィーを行う際に用いられる液体であれば、その具体的な構成は特に限定されない。
【００６０】
また、上記実施形態においては、分離カラム３００として、株式会社モリテックス製のプリフパックＳＩ−６０  ＳＩＺＥ６０を例示したが、クロマトグラフィーを行う際に使用できるカラムであれば、その具体的な構成，種類などは特に限定されない。
【００６１】
また、上記実施形態においては、検出器４００として、日本分光株式会社製 HYPERLINK "http://www.jasco.co.jp/Japanese/products/UV/V600/v600#top.html" の紫外可視分光光度計８７５ＵＶを例示したが、分離カラム３００を通過した移動相１０中の成分を検出できるものであれば、その具体的な構成，種類などは特に限定されない。
（７）本発明のとの対応関係
以上説明した実施形態において、駆動ポンプ１００が、本発明における駆動手段であり、逆止弁１３０が、本発明における開閉手段である。
【図面の簡単な説明】
【００６２】
【図１】本発明のクロマトグラフィーシステムを示す図
【図２】駆動ポンプの構造を示す断面図
【図３】可動壁の構造を示す断面図
【図４】分離性能評価試験の結果を示す図
【符号の説明】
【００６３】
１…クロマトグラフィーシステム、１０…移動相、２０…移動相容器、１００…駆動ポンプ（駆動手段）、１１０…ポンプ室、１１２…入口、１１４…出口、１２０…可動壁、１２２，１２２Ａ，１２２Ｂ…圧電セラミック素子、１２４…板状部材、１３０…逆止弁（開閉手段）、２００，２００Ａ，２００Ｂ…供給経路、２１０…サンプルインジェクター、３００…分離カラム、３１０…固定相、３２０…流量調節バルブ、４００…検出器、４１０…解析用コンピュータ、４２０…フラクションコレクタ。
【図１】
2008175650.tif 000006
【図２】
2008175650.tif 000007
【図３】
2008175650.tif 000008
【図４】
2008175650.tif 000009